(57)【要約】【課題】  テレビ放送を視聴できる携帯無線機器には同調部を内蔵させる必要があり、装置全体を大型化するとともに重量が大きくなってしまい、携帯無線機器が本来要請されている小型軽量化に反するものであった。【解決手段】  携帯無線機器とは別体の選局機器に同調部２３を持たせ、携帯無線機器自体を小型軽量化させたものである。受信部２３で受信したテレビ放送波は同調部２３で選局され復号された後、暗号化部２５で暗号化されて送信部２８、アンテナ共用器２７、アンテナ２６を介して近距離無線通信で携帯無線機器へ送信され再生される。したがって、近くの別の携帯無線端末では暗号化されたテレビ信号を解読できないため、視聴できない。【選択図】          図２
2008035350.tif 000002
【特許請求の範囲】
【請求項１】
音声通信機能と近距離無線通信で受信したテレビ信号の再生機能とを有する携帯無線機器と、
この携帯無線機器とは別体に設けられ、受信したテレビ信号を復号化して近距離無線通信で上記携帯無線機器へ送信する選局機器とからなる携帯無線装置であって、
上記携帯無線機器は、
上記選局機器へテレビ信号の送信を指示するに際して、送信するテレビ信号を暗号化する情報を上記選局機器へ送信し、上記選局機器から受信した暗号化されたテレビ信号を解読するものであり、
上記選局機器は、
上記携帯無線機器から受信した暗号化の情報に基いて、復号化したテレビ信号を暗号化して上記携帯無線機器へ送信することを特徴とする携帯無線装置。
【請求項２】
選局機器は異なる複数の暗号化処理が可能であり、携帯無線機器の送信する暗号化の情報は何れかの暗号化処理を特定するものであることを特徴とする請求項１に記載の携帯無線装置。
【請求項３】
携帯無線機器は選局機器と近距離無線通信のリンクを確立する前に選局機器の認証を行なうことを特徴とする請求項１に記載の携帯無線装置。
【請求項４】
選局機器は受信したテレビ信号を録画するメモリ有し、該メモリに記憶したテレビ信号を携帯無線機器へ近距離無線通信で送信することを特徴とする請求項１に記載の携帯無線装置。
【発明の詳細な説明】
【技術分野】
【０００１】
本発明は、デジタルテレビ放送を受信することができる携帯無線装置に関するものであり、特に音声通信機能を有する携帯電話機としての携帯無線機器と、これとは別体の選局機器との間で近距離無線通信を行なうことでテレビ放送を受信可能にした携帯無線装置に関するものである。
【背景技術】
【０００２】
地上デジタル放送は、各種のサービスを可能にしており、その一つとしてモバイル機器向けの放送がある。このサービスにより、地上デジタル放送の番組が携帯電話機等を使って外出先や通勤途中で楽しむことができる。したがって、地上デジタル放送を受信可能にした携帯電話機が、益々、普及拡大されることが見込まれる。
【０００３】
従来、地上デジタル放送を受信可能にした携帯電話機として特許文献１に記載されたものがある。この従来技術は、選局部を携帯電話機本体内に収容しており、受信したテレビ信号を復号して映像信号を表示部へ供給し、画像表示するとともに音声信号をスピーカに供給して音声出力するものである。
【０００４】
【特許文献１】特開２００５−２９５３６７号公報
【発明の開示】
【発明が解決しようとする課題】
【０００５】
特許文献１に記載された従来技術は、選局部を携帯電話機本体に収容しているので、自ずと携帯電話機自体が大型化するとともに重量が大きくなり、本来、携帯電話機に求められてきた小型化、軽量化の要求を阻害するものであった。また、地上デジタル放送を受信可能な機能を搭載しているため高価な携帯電話機であるが地上デジタル放送を視聴しないユーザーにとっては無駄に高価な携帯電話機を購入する必要があった。
【０００６】
本発明は、上記従来の問題点に鑑みてなされたものであり、地上デジタル放送が受信可能な携帯電話機等の携帯無線機器を小型・軽量化することができ、かつ、安価な携帯無線機器を提供することを目的としている。
【課題を解決するための手段】
【０００７】
本発明に係る携帯無線装置は、音声通信機能と近距離無線通信で受信したテレビ信号の再生機能とを有する携帯無線機器と、この携帯無線機器とは別体に設けられ、受信したテレビ信号を復号化して近距離無線通信で上記携帯無線機器へ送信する選局機器とからなる携帯無線装置であって、上記携帯無線機器は、上記選局機器へテレビ信号の送信を指示するに際して、送信するテレビ信号を暗号化する情報を上記選局機器へ送信し、上記選局機器から受信した暗号化されたテレビ信号を解読するものであり、上記選局機器は、上記携帯無線機器から受信した暗号化の情報に基いて、復号化したテレビ信号を暗号化して上記携帯無線機器へ送信するように構成したものである。
【発明の効果】
【０００８】
本発明によれば、携帯無線機器とは別体に選局機器を設けるものとしているので、携帯無線機器自体の小型軽量化が図れ、また、地上デジタル放送を視聴しないユーザは携帯無線機器のみを購入すればよいので、安価に購入することができる効果がある。
【０００９】
また、本発明によれば、携帯無線機器と選局機器との間を近距離無線通信で接続し、テレビ信号の送受信は、信号を暗号化して送受信しているので、別の携帯無線機器がテレビ信号を受信して視聴されてしまうこともない。
【発明を実施するための最良の形態】
【００１０】
以下、本発明の実施の形態を図に基いて詳述する。
【００１１】
図１は本発明の実施の形態に係る携帯無線機器としての携帯電話機を示すブロック図である。図において、１は移動体通信網を介して音声等のデータを送受信するアンテナ、２はアンテナ１を送信及び受信に共用するためのアンテナ共用器、３はアンテナ１が受信した信号をアンテナ共用器２を介して入力し、復調部４が処理しやすい周波数にダウンコンバートするとともに増幅する受信部、４はこの受信部３から入力した受信信号を復調する復調部、５は音響制御部であり、復調部４が復調した音声信号をスピーカ６へ出力して音声出力させるとともに、マイク７から入力した音声信号を送信するデータに加工する。８は音響制御部５から入力した音声データを変調する変調部、９はこの変調部８が変調した送信信号を高周波数にアップコンバートするとともに増幅し、アンテナ共用器２を介してアンテナ１から移動体通信網へ送出する送信部である。
【００１２】
１０は携帯無線機器各部の制御を司る制御部、１１はテンキー及び機能キーから構成される操作部、１２は制御部１０の実行するプログラムや制御データを記憶する記憶部、１３は操作部１１の操作や動作状態をＬＣＤ１４に表示する表示制御部である。
【００１３】
１５は選局機器（図示せず）とブルートゥース等の近距離無線通信を行なうためのアンテナ、１６はアンテナ１５を送信及び受信に共用するためのアンテナ共用器、１７はアンテナ共用器１６を介してアンテナ１５が受信したテレビ信号を受信し、ダウンコンバートするとともに増幅する受信部、１８は受信部１７から入力する暗号化されたテレビ信号を解読し、映像信号を表示制御部１３へ供給してＬＣＤ１４に画像表示させるとともに、音声信号を音響制御部５へ供給してスピーカ６に音声出力させる解読部である。１９は選局機器へ送信する信号を変調する変調部、２０は変調部１９で変調した信号をアップコンバートするとともに増幅し、アンテナ共用器１６を介してアンテナ１５から選局機器へ信号を送信する送信部である。
【００１４】
次に、携帯無線機器へテレビ信号を近距離無線通信する選局機器の構成について図２を参照して説明する。図２は本発明の実施の形態に係る選局機器のブロック図であり、２１はテレビ放送波を受信するアンテナ、２２はこのアンテナ２１を介してテレビ放送波を受信する受信部、２３はこの受信部２２が受信したテレビ放送波から所定の番組を選局する同調部、２４はこの同調部２３が選局したテレビ信号を復号する復号部、２５はこの復号部２４により復号されたテレビ信号を暗号化する暗号化部、２６は携帯無線機器と近距離無線通信するためのアンテナ、２７はこのアンテナ２６を送信及び受信に共用するためのアンテナ共用器、２８は上記暗号化部２５で暗号化されたテレビ信号を携帯無線機器へ送信するための送信部、２９はアンテナ２６及びアンテナ共用器２７を介して携帯無線機器から送信される信号を受信する受信部、３０は選局機器各部の制御を司る制御部、３１はこの制御部３０が動作するプログラム等を記憶したＲＯＭ、３２は上記制御部３０が動作するためのデータ等を記憶するＲＡＭ、３３は復号部２４が復号したテレビ信号を録画するハードディスクであり、選局機器自体に内蔵、若しくは外部から選局機器へ装着可能に設けられている。
【００１５】
次に、動作について説明する。まず、図１の携帯無線機器で音声通話する場合の動作について説明する。
【００１６】
即ち、ユーザの音声はマイク７で音声―電気変換されて音響制御部５に入力される。この音声信号は変調部８で送信信号に変調され、送信部９で高周波信号にアップコンバートされるとともに増幅される。そして、アンテナ共用器２を介してアンテナ１から発信される。
【００１７】
一方、通話相手の携帯無線機器から送信された送信信号はアンテナ１及びアンテナ共用器２を介して受信部３で受信される。受信部３は受信した信号を低周波信号にダウンコンバートするとともに増幅し、復調部４へ出力する。復調部４は受信部３から入力した信号を復調して音声信号を出力する。この音声信号は音響制御部５へ入力され、スピーカ６から音声出力される。
【００１８】
次に、選局機器で受信したテレビ放送を携帯無線機器で再生して視聴する動作について、図１及び図２とともに図３のフローチャートを用いて説明する。
【００１９】
即ち、ユーザーは携帯無線機器の操作部１１を操作することにより、選局機器が受信しているテレビ放送の信号をＬＣＤ１４及びスピーカ６で再生する指令を入力する。この指令は制御部１０で受付けられ、該制御部１０は選局機器との近距離無線通信の通信リンクを確立するため、アドレスの送信要求を送出する（ＳＴ１）。このアドレス送信要求は制御部１０から変調部１９、送信部２０、アンテナ共用器１６、及びアンテナ１５を介して近距離無線送信される。携帯無線機器の送信したアドレス送信要求は選局機器のアンテナ２６で受信され、アンテナ共用器２７、及び受信部２９を介して制御部３０に入力される。制御部３０は携帯無線機器からアドレス要求を受信すると、ＲＯＭ３１に記憶されている選局機器のアドレスを読み出し、送信部２８に送信を指令する。送信部２８はセ魚部３０の指令を受けて選局機器のアドレスをアンテナ共用器２７、及びアンテナ２６を介して近距離無線送信する（ＳＴ２）。選局機器の送信したアドレスは携帯無線機器のアンテナ１５で受信され、アンテナ共用器１６、及び受信部１７を介して制御部１０に入力される。制御部１０は選局機器からアドレスを受信すると記憶装置１２に記憶しているアドレスを読み出し、受信したアドレスと比較する（ＳＴ３）。
【００２０】
選局機器から受信したアドレスと記憶装置１２に記憶しているアドレスが一致しない場合、制御部１０は再度アドレス要求を選局装置に送信するが、一致していた場合、携帯無線機器及び選局機器間で近距離無線通信のリンクを確立する（ＳＴ４、ＳＴ５）。携帯無線機器及び選局機器間で近距離無線通信のリンクが確立すると、制御部１０は選局機器に対してテレビ信号の送信指示及び送信するテレビ信号を暗号化する暗号化情報を送信するとともに、解読部１８に対して暗号化データを解読する解読情報を送信する（ＳＴ６）。
【００２１】
テレビ信号の送信指示及び暗号化情報は上記アドレス要求と同様に選局装置の制御部３０へ送信され、該制御部３０は暗号化部２５へ暗号化情報を伝達するとともに送信部２８へテレビ信号の送信を指示する。即ち、暗号化部２５は復号部２４で復号されたテレビ信号に対して上記暗号化情報に基いて暗号化を行ない送信部２８へ供給する（ＳＴ７）。送信部２８は暗号化されたテレビ信号をアンテナ共用器２７、及びアンテナ２６を介して携帯無線機器へ送信する（ＳＴ８）。携帯無線機器では選局装置から送信された暗号化されたテレビ信号をアンテナ１５、及びアンテナ共用器１６を介して受信部１７で受信する（ＳＴ９）。受信部１７で受信されたテレビ信号は、解読部１８で解読されて元のテレビ信号に変換され（ＳＴ１０）、映像信号は表示制御部１３へ供給されてＬＣＤ１４に画像表示され、音声信号は音響制御部５へ供給されてスピーカ６から音声出力される（ＳＴ１１）。
【００２２】
これにより、ユーザーは携帯無線機器と別体の選局機器で受信したテレビ放送を携帯無線機器で視聴することができる。ここで、選局機器から携帯無線機器へ近距離無線通信されるテレビ信号は、暗号化部２５により暗号化されて送信されているので、近くの別の携帯無線機器で視聴されることがない。したがって、ユーザーのプライバシーを守ることができるが、常に同じ暗号化をしていた場合、近くの別の携帯無線端末で視聴される可能性がある。そこで、携帯無線機器の制御部１０から選局機器の制御部３０へ送信する暗号化情報及び解読部１８へ送信する解読情報は定期的又はその都度変更することが望ましい。例えば、図４に示すように、暗号化情報は暗号番号１〜８の８種類を用意しておく。８種類の内、暗号番号１〜４は暗号化の方式がＡ、５〜８は暗号化の方式がＢであり、各暗号化方式に対して１〜４の暗号種別を用意し、解読情報もこれに対応して８種類用意しておき、制御部がランダムに暗号番号を選択して暗号化情報及び解読情報を送信するようにすれば、ユーザーのプライバシーを充分に守ることが可能になる。
【００２３】
次に、選局装置で受信しているテレビ放送を録画する場合の動作について説明する。
【００２４】
ユーザーが携帯無線機器の操作部１１を操作して録画の操作をすると、制御部１０は選局装置と通信リンクを確立し、次いでユーザーが操作部１１から入力する録画情報を選局機器の制御部３０へ送信する。制御部３０は受信した録画情報をＲＡＭ３２へ記憶させ、該ＲＡＭ３２に記憶された情報に基いて、受信したテレビ信号をハードディスク３３へ録画する。一方、ハードディスク３３に録画したテレビ放送を視聴する場合は、ハードディスク３３に記憶しているテレビ信号を暗号化部２５で暗号化して送信する。
【産業上の利用可能性】
【００２５】
本発明は、テレビ信号を再生可能にした携帯電話機に適用することができる。
【図面の簡単な説明】
【００２６】
【図１】本発明の実施の形態に係る携帯無線機器の構成を示すブロック図である。
【図２】本発明の実施の形態に係る選局機器の構成を示すブロック図である。
【図３】本発明の実施の形態に係る携帯無線機器及び選局機器の動作を説明するためのフローチャートである。
【図４】本発明の実施の携帯に係る暗号化及び解読情報の一例を示す図である。
【符号の説明】
【００２７】
３  受信部    ４  復調部    ５  音響制御部    ８  変調部    ９  送信部    １０  制御部    １１  操作部    １３  表示制御部    １７  受信部    １８  解読部    １９  変調部    ２０  送信部    ２２  受信部    ２３  同調部    ２４  復号部    ２５  暗号化部    ２８  送信部    ２９  受信部    ３０  制御部    ３３  ハードディスク
【図１】
2008035350.tif 000003
【図２】
2008035350.tif 000004
【図３】
2008035350.tif 000005
【図４】
2008035350.tif 000006